(57)【特許請求の範囲】
【請求項１】
異電源の突き合わせ箇所にＦＲＰまたはウッドのデッドセクションを設け、このデッドセクションによって異電源を分離したトロリー線から受電できる電気車において、
電気車は、トロリー線からの受電で走行用電動機および補助回路に電力を供給する電源回路と、この電源回路との間で直流電力の充放電ができるエネルギー蓄積装置とを搭載し、
電気車の通常運転時にはパンタグラフを通した受電電力で前記エネルギー蓄積装置を充電し、電気車が力行運転のままデッドセクションを通過する間は前記エネルギー蓄積装置から前記電源回路への放電で電気車の力行運転に必要な電力を供給することを特徴とする電気車。
【請求項２】
先頭側車両と後尾側車両のパンタグラフ間がケーブルで接続され、該パンタグラフの最大間隔以上になる距離に一対のデッドセクションを設けてその間を無加圧の中セクションとし、この一対のデッドセクションによって異電源を分離したトロリー線から受電できる電気車において、
電気車は、トロリー線からの受電で走行用電動機および補助回路に電力を供給する電源回路と、この電源回路との間で直流電力の充放電ができるエネルギー蓄積装置とを搭載し、
電気車の通常運転時にはパンタグラフを通した受電電力で前記エネルギー蓄積装置を充電し、電気車が力行運転のまま無加圧の前記中セクションを通過する間は前記エネルギー蓄積装置から前記電源回路への放電で電気車の力行運転に必要な電力を供給することを特徴とする電気車。
【請求項３】
異電源の突き合わせ箇所にＦＲＰまたはウッドのデッドセクションを設け、このデッドセクションによって異電源を分離したトロリー線から電気車に給電できる電気車用の電源設備において、
前記デッドセクションは、１箇所のデッドセクションによって構成し、
電気車はその電源回路との間で直流電力の充放電ができるエネルギー蓄積装置を搭載し、
前記デッドセクション以外の範囲を走行する電気車にはトロリー線から給電し、前記デッドセクションを力行運転のまま走行する電気車には、前記エネルギー蓄積装置から電気車の力行運転に必要な電力を供給することを特徴とする電気車用の電源設備。
【請求項４】
先頭側車両と後尾側車両のパンタグラフ間をケーブルで接続した電気車に、該パンタグラフの最大間隔以上になる距離に一対のデッドセクションを設けてその間を中セクションとし、この一対のデッドセクションによって異電源を分離したトロリー線から給電できる電気車用の電源設備において、
前記中セクションは無加圧に構成し、
電気車はその電源回路との間で直流電力の充放電ができるエネルギー蓄積装置を搭載し、
前記デッドセクション以外の範囲を走行する電気車にはトロリー線から給電し、前記中セクションを力行運転のまま走行する電気車には、前記エネルギー蓄積装置から電気車の力行運転に必要な電力を供給することを特徴とする電気車用の電源設備。
【発明の詳細な説明】
【０００１】
【発明の属する技術分野】
本発明は、在来線電気車や新幹線（登録商標）車両などの電気車用の電源設備および電気車に係り、特に電気車が異電源を分離するデッドセクションを通過するときに電源を確保するための電源設備および電気車に関する。
【０００２】
【従来の技術】
図３に電鉄用電源設備とセクション構成の例を示す。電源設備は、同図の（ａ）に示すように、異電源になる変電所１1、１2からき電用しゃ断器２1、２2やき電線、区分開閉器を介してデッドセクションで分離されたトロリー線３を加圧する。複数台車両で一編成とする電気車４は、トロリー線から１つまたは複数のパンタグラフを通して受電し、電気車内の電源回路から走行用電動機・照明・空調機器等に電力供給を行う。
【０００３】
このような電鉄用電源設備において、デッドセクションは異電源区間を分離するものであり、在来線では異電源の突き合わせ箇所にＦＲＰまたはウッド（木）のデッドセクション（絶縁セクション）を８ｍの距離で設備されている。この方式では、図３の（ｂ）に示すように、運転者は電気車がデッドセクションの手前に設けられるノッチオフ標識に達したときにノッチオフしてトロリー線からの受電を遮断して惰行運転し、デッドセクションを通過してノッチオン標識位置に達したときにノッチオンして受電を再開して走行を行う。
【０００４】
一方、新幹線では、図３の（ｃ）に示すように、異電源の突き合わせ箇所に切替セクションを設備している。新幹線車両では先頭側車両と後尾側車両のパンタグラフ間をブス引き通し（ケーブル）で接続しており、切替セクションは、車両の最大パンタグラフ間隔以上になる距離（一般に１０００ｍ）で設けられるエアセクションＤ１，Ｄ２間を中セクションとし、エアセクションＤ１，Ｄ２の両端と中セクション間に開閉制御される開閉器ＳＷ１，ＳＷ２を設けた構成とする。
【０００５】
この構成により、全車両が中セクション範囲内に到達するまでは、開閉器ＳＷ１を閉、開閉器ＳＷ２を開としておくことで開閉器ＳＷ１側の電源から電力を供給し続け、全車両が中セクションを走行中に開閉器ＳＷ１を開、開閉器ＳＷ２を閉と切り替えることで開閉器ＳＷ２側の電源から電力の供給を開始する。これにより、開閉器の切換時に瞬時停電はあるが連続した電力供給がなされ、新幹線車両の運転者は、異電源区間の通過を意識することなく、ノッチオン状態のままエアセクションの走行運転ができる。
【０００６】
【発明が解決しようとする課題】
従来の在来線用電源設備では、デッドセクションを構成するためのノッチ標識を設備する必要がある。また、電気車はノッチオフ標識位置からノッチオン標識位置までの長い距離を惰行運転しており、デッドセクション領域での高速走行の妨げになる。また、運転者はデッドセクション通過標識を常に意識した運転を強いられ、一定レベルのスキルが必要となる。また、デッドセクション標識を見落とした場合、パンタグラフの引くアークにより、デッドセクションに損傷を与えるほか、異電源間の短絡故障の恐れがある。さらに、デッドセクション通過時には、必ず瞬時停電が生じるため、空調機器の瞬断や照明のちらつきなど、乗客サービスの低下になる。
【０００７】
一方、新幹線の電気車用の電源設備は、変電所およびき電区分所に切替設備を設ける必要があり、設備費がかさむ。また、車両の走行に合わせて、電源の切替えを行うため、中セクションの長さは１０００ｍ以上必要となり、切替設備費がかさむ。また、車両の走行速度を向上させる場合、中セクションの距離を変更するなど対策が必要となる。また、中セクションの電源切替えは、２５０ｍｓ〜３５０ｍｓの瞬時停電が発生するし、開閉器が自動的にオン・オフ繰り返されており、、設備の寿命に影響する。また、切替設備は、車両の通過の度に入り・切りが繰り返され、多頻度開閉が行われるため、設備を定期的に保守する必要があり、ランニングコストが大きくなる。また、切替設備は、多頻度開閉設備であるため、故障も多く、車両の運行計画の支障原因となる場合が多い。
【０００８】
本発明の目的は、上記の各課題などを解決した在来線または新幹線の電気車用の電源設備および電気車を提供することにある。
【０００９】
【課題を解決するための手段】
本発明は、前記の課題を解決するため、電気車には電気二重層キャパシタ等の急速充放電可能なエネルギー蓄積装置を搭載し、電気車がデッドセクション（在来線）や中セクション（新幹線）を通過するときにはエネルギー蓄積装置から電気車の走行等に必要な電力を供給できるようにすることで、電鉄用電源設備としてはノッチ標識（在来線用）によるノッチ操作を不要にしたり、切替設備（新幹線用）を簡略化できるようにしたもので、以下の構成を特徴とする。
【００１０】
異電源の突き合わせ箇所にＦＲＰまたはウッドのデッドセクションを設け、このデッドセクションによって異電源を分離したトロリー線から受電できる電気車において、
電気車は、トロリー線からの受電で走行用電動機および補助回路に電力を供給する電源回路と、この電源回路との間で直流電力の充放電ができるエネルギー蓄積装置とを搭載し、
電気車の通常運転時にはパンタグラフを通した受電電力で前記エネルギー蓄積装置を充電し、電気車が力行運転のままデッドセクションを通過する間は前記エネルギー蓄積装置から前記電源回路への放電で電気車の力行運転に必要な電力を供給することを特徴とする。
【００１１】
先頭側車両と後尾側車両のパンタグラフ間がケーブルで接続され、該パンタグラフの最大間隔以上になる距離に一対のデッドセクションを設けてその間を無加圧の中セクションとし、この一対のデッドセクションによって異電源を分離したトロリー線から受電できる電気車において、
電気車は、トロリー線からの受電で走行用電動機および補助回路に電力を供給する電源回路と、この電源回路との間で直流電力の充放電ができるエネルギー蓄積装置とを搭載し、
電気車の通常運転時にはパンタグラフを通した受電電力で前記エネルギー蓄積装置を充電し、電気車が力行運転のまま無加圧の前記中セクションを通過する間は前記エネルギー蓄積装置から前記電源回路への放電で電気車の力行運転に必要な電力を供給することを特徴とする。
【００１２】
異電源の突き合わせ箇所にＦＲＰまたはウッドのデッドセクションを設け、このデッドセクションによって異電源を分離したトロリー線から電気車に給電できる電気車用の電源設備において、
前記デッドセクションは、１箇所のデッドセクションによって構成し、
電気車はその電源回路との間で直流電力の充放電ができるエネルギー蓄積装置を搭載し、
前記デッドセクション以外の範囲を走行する電気車にはトロリー線から給電し、前記デッドセクションを力行運転のまま走行する電気車には、前記エネルギー蓄積装置から電気車の力行運転に必要な電力を供給することを特徴とする。
【００１３】
先頭側車両と後尾側車両のパンタグラフ間をケーブルで接続した電気車に、該パンタグラフの最大間隔以上になる距離に一対のデッドセクションを設けてその間を中セクションとし、この一対のデッドセクションによって異電源を分離したトロリー線から給電できる電気車用の電源設備において、
前記中セクションは無加圧に構成し、
電気車はその電源回路との間で直流電力の充放電ができるエネルギー蓄積装置を搭載し、
前記デッドセクション以外の範囲を走行する電気車にはトロリー線から給電し、前記中セクションを力行運転のまま走行する電気車には、前記エネルギー蓄積装置から電気車の力行運転に必要な電力を供給することを特徴とする。
【００１４】
【発明の実施の形態】
図１は、本発明の実施形態を示す交流電鉄用電気車の電源回路構成図である。トロリー線からパンタグラフ１１を通して真空しゃ断器１２や避雷器１３を介して主変圧器１４の一次側に電源引き込みを行う。
【００１５】
主変圧器１４の二次側には、コンバータ１５1と駆動用インバータ１５2および回生用インバータ１５3からなる主変換装置が設けられ、インバータ１５2から誘導電動機１６に周波数制御した駆動電流を供給、および回生電力を主変圧器１４側に回生する。主変圧器１４の二次側には、しゃ断器を介して隣接車両の主変換装置１７1〜１７3に接続され、その誘導電動機１８の駆動及び回生制動を行う。１９は、照明機器や空調機器や機械ブレーキ用コンプレッサなどの電源を得るための補助回路である。
【００１６】
ここで、本実施形態では、駆動用の各車両には、直流電源とする電気二重層キャパシタと、その充放電を制御できる電流制御回路をもつエネルギー蓄積装置２０、２１を搭載する。このエネルギー蓄積装置２０、２１は、主変換装置の直流回路、すなわちコンバータ１５1、１７1とインバータ１５2、１７2の接続点に並列に設け、電気車の電源回路との間で直流電力の充放電ができるようにする。
【００１７】
エネルギー蓄積装置２０、２１の電気二重層キャパシタは、急速充放電が可能で、しかも充放電の繰り返し可能回数が一般の蓄電池設備に比して格段に高いものである。電流制御回路は、パンタグラフからの受電電圧を検出しておき、この電圧が設定値以下に低下したときに電気二重層キャパシタからインバータ等の直流回路への放電路を形成、さらには昇圧して放電する回路（回路接続スイッチや昇降圧チョッパ回路）を設ける。
【００１８】
以上の構成により、パンタグラフ１１を通して受電できる通常時には、エネルギー蓄積装置２０、２１は主変圧器１４、コンバータ１５1、１７1を通した直流電力で定格電圧まで充電しておく。そして、トロリー線などの電源設備の停電やトロリー線とパンタグラフの接触が切れた（離線現象）場合、また電気車がデッドセクションを通過する走行状態になったとき、電動機１６、１８の駆動に必要な電源をエネルギー蓄積装置２０、２１を直流電源とし、インバータ１５2、１７2で交流電力に変換して電動機１６、１８に必要な電力を供給する。
【００１９】
また、エネルギー蓄積装置２０、２１を直流電源とし、回生用インバータ１５3、１７3で交流電力に変換して補助回路１９等への給電を可能にする。
【００２０】
図２は、本実施形態を在来線または新幹線の電源設備と電気車に適用した場合のデッドセクションの通過態様を示す。同図の（ａ）は在来線の場合を示し、約８ｍのデッドセクションによって異電源を分離する電源構成としておく。この構成では、電気車のパンタグラフがデッドセクション位置になる走行時にはトロリー線からの電源遮断になる。このとき、電気車に搭載したエネルギー蓄積装置から、主変換装置等に電源を供給することができ、電気車は力行のままデッドセクションを通過することができ、従来のノッチオフ標識位置からノッチオン標識位置までの長距離惰行運転を無くして高速走行ができる。また、運転者はデッドセクション通過標識を意識した運転が不要になるし、ノッチオンのままでも異電源間が短絡故障することもない。
【００２１】
また、トロリー線からの電源遮断時には、駆動用電動機の電機子などのインダクタンス分に蓄積された電流は電機二重層キャパシタの充放電で吸収することができ、パンタグラフにアークが発生することがなくなるし、またデッドセクションやパンタグラフに損傷を与えることがなくなる。また、デッドセクション通過時に瞬時停電が生じることなく、空調機器の瞬断や照明のちらつきなどを起こすことがなくなる。
【００２２】
図２の（ｂ）は、新幹線車両用にした場合を示し、従来の切替設備における開閉器ＳＷ１，ＳＷ２とその開閉制御装置を省き、車両の最大パンタグラフ間隔（約１０００ｍ）に一対のデッドセクションのみを設けた構成とし、その間の中セクションを無加圧区間とする。この構成において、新幹線車両はブス引き通しで先頭側車両と後尾車両間のパンタグラフがケーブルで接続されており、一部のパンタグラフが中セクション位置になる走行状態では加圧状態になるトロリー線に接触するパンタグラフから受電して力行することができる。そして、全部のパンタグラフが中セクション内になる電源遮断状態では、車両に搭載するエネルギー蓄積装置から主変換装置等に電源を供給し、力行運転を継続することができる。
【００２３】
したがって、従来の方式に比べて、切替設備は開閉器とその制御装置が不要になって大幅に簡略化され、その信頼性の向上、コストダウン、保守費低減、設備寿命を延ばすことができる。また、車両の走行速度を高める場合にも、中セクションの距離を変更する必要がなくなる。
【００２４】
また、エネルギー蓄積装置を搭載した電気車は、電気車が力行開始や回生開始する場合にトロリー線の電圧変化をエネルギー蓄積装置で抑制することができ、トロリー線や変電所などの電源設備から見て電気車自体が負荷変動要因となることが少なくなり、該電源設備の責務を軽減してその簡略化、コストダウン等を図ることができる。
【００２５】
さらにまた、エネルギー蓄積装置を搭載した電気車は、夜間やトンネル、地下の走行中での変電所等の停電に際して電気車の非常用直流電源として利用することができる。
【００２６】
以上の実施形態は、交流電鉄用の電気車に適用した場合を示すが、直流電鉄用の電気車に適用して同等の作用効果を得ることができる。また、電気二重層キャパシタに代えて、蓄電池等を直流電源とするエネルギー蓄積装置を電気車に搭載して同等の作用効果を得ることができる。
【００２７】
【発明の効果】
以上のとおり、本発明によれば、電気車には電気二重層キャパシタ等の急速充放電可能なエネルギー蓄積装置を搭載し、電気車がデッドセクション（在来線）や中セクション（新幹線）を通過するときにはエネルギー蓄積装置から電気車の走行等に必要な電力を供給できるようにしたため、電鉄用電源設備としてはノッチ標識（在来線用）によるノッチ操作を不要にしたり、切替設備（新幹線用）を簡略化できる。
【図面の簡単な説明】
【図１】本発明の実施形態を示す電気車の電源回路構成図。
【図２】実施形態におけるデッドセクションの通過態様図。
【図３】電鉄用の電源設備とデッドセクションの構成例。
【符号の説明】
１１…パンタグラフ
１４…主変圧器
１５1、１７1…コンバータ
１５2、１７2…駆動用インバータ
１５3、１７3…回生用インバータ
１６、１８…誘導電動機
１９…補助回路
２０、２１…エネルギー蓄積装置
【図１】
0004304827.tif 000002
【図２】
0004304827.tif 000003
【図３】
0004304827.tif 000004